(57)【要約】【課題】  眼用レンズデバイスを提供する。【解決手段】  本発明は、上述したように、及び添付の請求項によって更に定義されるように、眼の特定の乱視特性を矯正するように調整されてよい剛性インサートを封入する眼用レンズの形成方法、及びこのような方法を実装する装置、並びに剛性インサートを有して形成される眼用レンズを提供する。【選択図】  図１
2014182394.tif 000002
【特許請求の範囲】
【請求項１】
乱視を不顕在化させる能力を有する剛性インサートを有する眼用レンズデバイスであって、前記眼用レンズデバイスは、
生体適合性材料を含むレンズであって、前記生体適合性材料は眼上における前記眼用レンズの配置を可能にする、レンズと、
剛性インサートであって、前記レンズは前記剛性インサートを封入する、剛性インサートと、
乱視を矯正する能力を有する機構であって、前記機構は前記レンズ及び前記剛性インサートの一方又は双方の上に位置する、機構と、
を含む、眼用レンズデバイス。
【請求項２】
前記剛性インサートが複数のゾーンを含み、それぞれのゾーンは、前記眼の乱視特性を反映する能力を有する、請求項１に記載の眼用レンズデバイス。
【請求項３】
第１ゾーンが第１の材料を含み、第２ゾーンが第２の材料を含む、請求項２に記載の眼用レンズデバイス。
【請求項４】
前記剛性インサートが第１の３次元トポグラフィを含む、請求項２に記載の眼用レンズデバイス。
【請求項５】
前記第１の３次元トポグラフィが前記眼の前記乱視特性を反映する、請求項４に記載の眼用レンズデバイス。
【請求項６】
前記剛性インサートが熱成形を通じて前記第１の３次元トポグラフィを含む、請求項５に記載の眼用レンズデバイス。
【請求項７】
前記レンズが第２の３次元トポグラフィを含む、請求項５に記載の眼用レンズデバイス。
【請求項８】
前記第２の３次元トポグラフィが、前記剛性インサートの矯正特性を向上させる能力を有する、請求項７に記載の眼用レンズデバイス。
【請求項９】
前記眼用レンズを前記眼上において方向付ける能力を有する安定化機構を更に含み、前記方向付けにより、前記複数のゾーンを前記眼の前記乱視特性に合わせて位置合わせすることができる、請求項２に記載の眼用レンズデバイス。
【請求項１０】
前記安定化機構が視覚的な方向付けの手がかりを含み、前記視覚的な方向付けの手がかりは使用者の目に見える、請求項９に記載の眼用レンズ。
【請求項１１】
前記レンズが偏光機能性を更に含む、請求項１に記載の眼用レンズ。
【請求項１２】
前記レンズが、パターンのある着色を更に含む、請求項１に記載の眼用レンズ。
【請求項１３】
前記剛性インサートが活性剤を更に含み、前記活性剤は、前記眼上の眼環境中に溶解する能力を有する、請求項１に記載の眼用レンズ。
【請求項１４】
前記安定化機構が、前記眼用レンズの前方湾曲表面を変化させる能力を有する、請求項９に記載の眼用レンズ。
【請求項１５】
前記安定化機構が、前記眼用レンズに質量を付加する能力を有し、前記質量は、前記眼用レンズをバラストで安定させるのに十分である、請求項９に記載の眼用レンズ。
【請求項１６】
前記剛性インサートが前記安定化機構を含む、請求項９に記載の眼用レンズ。
【請求項１７】
前記生体適合性材料が重合反応性モノマー混合物を含む、請求項１に記載の眼用レンズ。
【請求項１８】
前記重合反応性モノマー混合物がヒドロゲルを含む、請求項１７に記載の眼用レンズ。
【発明の詳細な説明】
【技術分野】
【０００１】
本発明は、眼用デバイスに関する封入の側面、及び、より詳細には、実施形態によっては、乱視用コンタクトレンズの製作における封止及び封入の側面に関する方法、装置、及びデバイスを記載する。
【背景技術】
【０００２】
従来、コンタクトレンズ又は眼内レンズなどの眼用デバイスには、矯正、美容、又は治療的成形型部品を有する生体適合性デバイスが含まれていた。例えばコンタクトレンズは視力矯正機能、美容改善、及び治療効果のうちの１つ又は２つ以上を提供することができる。眼用レンズの物理的特性はそれぞれの機能を提供する。眼用レンズに屈折成形型部品を組み込む設計は、視力矯正機能を提供することができる。眼用レンズに組み込まれる顔料は、美容向上を提供することができる。眼用レンズに組み込まれる活性剤は、治療的機能を提供することができる。
【０００３】
乱視は、多くの場合、眼の角膜又はレンズの不規則又はトーリックな湾曲の結果である、一般的な視覚欠陥である。その結果、乱視患者のための視力矯正は、通常のコンタクトレンズよりも複雑な解決策を必要とする。したがって、最近では、乱視患者の視力を矯正し得る眼用レンズの形成の助けとなる追加の方法及び装置を有することが望まれている。近年、眼用レンズに剛性インサートが含まれるようになっており、剛性インサートは眼用レンズに機能性を付加してよい。したがって、眼用レンズ内部における剛性インサートの封止及び封入に関する新しい方法、デバイス、及び装置が重要である。
【発明の概要】
【課題を解決するための手段】
【０００４】
したがって、本発明は、乱視を不顕在化させる能力を有する剛性インサートを有する眼用レンズデバイスであって、この眼用レンズデバイスは、生体適合性材料を含むレンズであって、生体適合性材料は眼上における眼用レンズの配置を可能にする、レンズと、剛性インサートであって、レンズは剛性インサートを封入する、剛性インサートと、乱視を矯正する能力を有する機構であって、この機構はレンズ及び剛性インサートの一方又は双方の上に位置する、機構と、を含む、眼用レンズデバイスに関する革新技術を含む。実施形態によっては、生体適合性材料が、例えばヒドロゲルを含む、重合反応性モノマー混合物を含んでよい。
【０００５】
剛性インサートは複数のゾーンを含んでよく、それぞれのゾーンは眼の乱視特性を反映する。実施形態によっては、それぞれのゾーンが異なる材料を含んでよく、それぞれの材料はゾーンの効果を向上させる。剛性インサートは、例えば熱成形プロセスを通じて、３次元トポグラフィを含んでよい。３次元トポグラフィは眼の乱視特性を反映してよい。剛性インサートの３次元トポグラフィはレンズの３次元トポグラフィによって向上され得る。
【０００６】
眼用レンズデバイスは、眼用レンズを眼上において方向付ける能力を有する安定化機構を更に含んでよく、この方向は、複数のゾーンを眼の乱視特性に合わせて位置合わせすることができる。安定化機構は剛性インサートから分離していてもよく、又は、例えば熱成形プロセスを通じて、剛性インサート内に含まれていてもよい。実施形態によっては、安定化機構が眼用レンズの前方湾曲表面を変化させてよい。その他では、安定化機構は眼用レンズに質量を付加してよく、質量は、眼用レンズをバラストで安定させるのに十分である。安定化機構は視覚的な方向付けの手がかりを更に含んでよく、この視覚的な方向の手がかりは使用者の目に見え、使用者が、眼用レンズが眼上への配置前にどのように方向付けられるべきであるかを見ることを可能にする。
【０００７】
実施形態によっては、乱視の矯正に加えて、眼用レンズが複数の機能性を提供してよい。例えば、レンズは、偏光機能、又はパターンのある着色等の美容的機能を更に含んでよい。実施形態によっては、剛性インサートが活性剤を更に含んでよく、活性剤は眼上の眼環境中に溶解する能力を有する。
【図面の簡単な説明】
【０００８】
【図１】完全に封入された剛性インサートを有する眼用レンズであって、眼用レンズは乱視患者の視力を矯正し得る、眼用レンズの例示的な実施形態を示す。
【図２】代替の図１は、本発明の一部の実施形態の実装に有用であり得る例示的な成形型アセンブリ装置構成要素を示す。
【図３】本発明の幾つかの実施形態を実施するのに有用であり得る例示的な成形型アセンブリ装置を図示する。
【発明を実施するための形態】
【０００９】
本発明は、乱視患者の視力を矯正する剛性インサートを有する眼用レンズの製造方法及び装置を含む。加えて、本発明は、結果として生じる、剛性インサートを有する眼用レンズを含む。概して、本発明のいくつかの実施形態によれば、剛性インサートは、眼用レンズを作るために使用される成形型部品に対して、所望の位置に剛性インサートを配置するオートメーションを介して眼用レンズ内に一体化されてよい。
【００１０】
現在、乱視を矯正するための眼用レンズが存在している。例えば、剛性ガス透過性レンズが角膜を覆って配置されてよく、レンズと眼との間に涙液層が形成されることになる。本質的に、剛性ガス透過性レンズは、非乱視眼の曲率を模倣するように設計されてよい新たな角膜の役割を果たす。この技法は不顕在化と見なされる。しかし、典型的な剛性ガス透過性レンズは使い心地が悪く、高価である。
【００１１】
ソフトコンタクトレンズは、より使い心地が良く、より安価な代替物を提供する。ＲＧＰと異なり、眼とレンズとの間に涙液層が形成されなくてよいため、ソフトコンタクトレンズは、眼の乱視特性を反映するように調整され得る。レンズは、眼のそれぞれの部分を矯正するために、変化のある屈折力及び屈折角を包含してよい。しかし、レンズが柔らかいので、レンズは眼の形状にある程度自然になじむ。これはレンズの効果を減じさせ、使用者はぼやけ又は二重視をしばしば訴える。
【００１２】
どちらの解決策の使い心地及び効果の問題も、重度の乱視患者において深刻になる。したがって、本発明は、乱視患者の視力を矯正するための新しい代替物を提供する。剛性インサートを含んでよい眼用レンズ、及びより詳細には、封入された剛性インサートが乱視に対する矯正を提供してよい眼用レンズを説明する。
【００１３】
以下のセクションでは、本発明の実施形態の「発明を実施するための形態」が記載される。好ましい実施形態及び代替の実施形態の両方の説明は、代表的な実施形態に過ぎず、変形、修正、及び代替が当業者にとって明白であり得ることが理解される。したがって、これらの代表的な実施形態は基礎をなす発明の範囲を制限しない点は理解されなければならない。
【００１４】
用語集
本発明を対象としたこの説明及び特許請求の範囲においては、以下の定義が適用される様々な用語が用いられ得る。
接着促進：本明細書で使用するとき、２つの表面の間の、例えば、剛性インサートと封入材との間等の、接着傾向を高めるプロセスを指す。
【００１５】
後方湾曲ピース又は後方インサートピース：本明細書で使用するとき、前述のインサート内に組み付けられた際に、眼用レンズの、後方になる側の位置を占有するマルチピース型剛性インサートの固体要素を指す。眼用デバイスでは、そのようなピースは、着用者の目の表面により近いインサートの面上に配置される。いくつかの実施形態では、後方湾曲ピースは、眼用デバイスの中心部における領域を収容し、かつこれを含んでもよく、この領域を通じて光が着用者の目の内部に進む。この領域は視覚ゾーンと呼ばれ得る。他の実施形態では、このピースは、視覚ゾーンにおける領域の一部又は全てを収容しない、又は含まない環状の形状をとり得る。眼用インサートのいくつかの実施形態では、複数の後方湾曲ピースが存在してもよく、それらのうちの１つは、視覚ゾーンを含んでもよく、一方で、他のものは環状又は環の部分であってもよい。
【００１６】
構成要素：本明細書で使用するとき、論理的状態、又は物理的状態の１つ以上の変化を生じるためにエネルギー源から電流を引くことができる装置を指す。
【００１７】
封入：本明細書で使用するとき、例えば媒体インサート等の実体を、その実体に隣接する環境から分離する障壁を作り出すことを指す。
【００１８】
封入材：本明細書で使用するとき、例えば媒体インサート等の実体を取り囲んで形成され、その実体に隣接する環境から実体を分離する障壁を作り出す層を指す。例えば、封入材は、エタフィルコン、ガリフィルコン、ナラフィルコン、及びセノフィルコン等のシリコーンヒドロゲル類、あるいはその他のヒドロゲルコンタクトレンズ材料を含んでもよい。実施形態によっては、特定の物質は実体内部に収容し、例えば水等の特定の物質は実体に侵入するのを阻止するべく、封入材が半透過性であってよい。
【００１９】
エネルギー印加：本明細書で使用するとき、電流を供給することが可能であるか、又は電気エネルギーを内部に蓄積させることが可能である状態を指す。
【００２０】
本明細書で使用するところの「エネルギー」：ある物理系が仕事をする能力のことを指す。本発明で使用される場合の多くは、動作する際に電気的作用を行うことが可能なこの容量に関連し得る。
【００２１】
エネルギー源：本明細書で使用する場合、エネルギーを供給することができるか、又は生体医学的装置を付勢された状態に置くことができる装置を指す。
【００２２】
エネルギーハーベスター：本明細書で使用するとき、環境からエネルギーを抽出し、これを電気エネルギーに変換することができる装置を指す。
【００２３】
前方湾曲ピース又前方インサートピース：本明細書で使用するとき、前述のインサート内に組み付けられた際に、眼用レンズの、前方になる側の位置を占有するマルチピース型剛性インサートの固体要素を指す。眼用デバイスでは、そのようなピースは、着用者の目の表面からより遠い面のインサート上に配置される。いくつかの実施形態では、ピースは、眼用デバイスの中心部における領域を収容し、かつこれを含んでもよく、この領域を通じて光が着用者の目の内部に進む。この領域は視覚ゾーンと呼ばれ得る。他の実施形態では、このピースは、視覚ゾーンにおける領域の一部又は全てを収容しない、又は含まない環状の形状をとり得る。眼用インサートのいくつかの実施形態では、複数の前方湾曲ピースが存在してもよく、それらのうちの１つは、視覚ゾーンを含んでもよく、一方で、他のものは環状又は環の部分であってもよい。
【００２４】
レンズ形成用混合物、又は反応性混合物、又は反応性モノマー混合物（ＲＭＭ）：本明細書で使用されるとき、硬化及び架橋することができるか、又は架橋して眼用レンズを形成することができる、モノマー、又はプレポリマー材料を指す。様々な実施形態は、例えばＵＶ遮断剤、染料、光開始剤、又は触媒、及びコンタクト若しくは眼内レンズ等の眼用レンズに有用な他の添加剤等の、１つ又は２つ以上の添加剤を有するレンズ形成用混合物を含んでよい。
【００２５】
レンズ形成表面：本明細書で使用するとき、眼用レンズの成型に使用される表面を指す。いくつかの実施形態では、任意のこのような表面は、光学品質表面仕上げを有することができ、これは、表面が十分に滑らかで、成形型表面に接触しているレンズ形成用混合物の重合によって作られる眼用レンズ表面が光学的に許容可能であるように形成されていることを示す。更に、いくつかの実施形態では、レンズ形成表面は、眼用レンズ表面に所望の光学特性を付与するのに必要な幾何学形状を有することができ、所望の光学特性としては、限定することなく、球面、非球面、及び円筒屈折力、波面収差補正、角膜トポグラフィ補正、又はこれらの任意の組み合わせが挙げられる。
【００２６】
リチウムイオンセル：本明細書で使用するとき、リチウムイオンセルは、セル内を移動するリチウムイオンが電気的エネルギーを生成する、電気化学セルを指す。典型的には電池とよばれるこの電気化学セルは、その通常の状態に再付勢又は再充電され得る。
【００２７】
媒体インサート：本明細書で使用するとき、エネルギー印加眼用デバイス内に含まれることになる封入インサートを指す。媒体インサート内には、エネルギー印加要素及び回路機構が埋め込まれてよい。媒体インサートはエネルギー印加眼用デバイスの主要目的を定める。例えば、エネルギー印加眼用デバイスが、使用者が屈折力を調節することを可能とする実施形態では、媒体インサートは、視覚ゾーン内の液体メニスカス部分を制御するエネルギー印加要素を含んでよい。代替的に、媒体インサートは、視覚ゾーンが材料の空隙となるように、環状であってよい。このような実施形態では、レンズのエネルギー印加機能は光学的成形型部品のものでなくてよく、例えば、グルコースの監視又は薬剤の投与であってよい。
【００２８】
成形型：本明細書で使用されるとき、未硬化配合物から眼用レンズを形成するために使用され得る、剛性又は半剛性の物体を指す。いくつかの好ましい成形型は、前方湾曲成形型及び後方湾曲成形型を形成する２つの成形型部品を含む。
【００２９】
眼用レンズ又は眼用デバイス又はレンズ：本明細書で使用されるとき、眼内又は眼上に存在する任意の眼用デバイスを指す。デバイスは視力矯正を提供してもよく、美容のためのものであるか、又は光学的性質と関係のない何らかの機能性を提供してもよい。例えば、レンズという用語は、コンタクトレンズ、眼内レンズ、オーバーレイレンズ、眼用インサート、光学インサート、あるいは視力が補正若しくは変更されるか、又は視力を妨げることなく目の生理機能が美容的に拡張される（例えば、虹彩色）他の同様のデバイスを指してよい。代替的に、レンズは、眼上に配置されてよい、例えば、涙液の成分の監視又は活性剤の投与手段等の、視力矯正以外の機能を有するデバイスを指してもよい。実施形態によっては、本発明の好ましいレンズは、例えば、シリコーンヒドロゲル類及びフロオロヒドロゲル類を含んでよい、シリコーンエラストマー類又はヒドロゲル類で作られたソフトコンタクトレンズであってよい。
【００３０】
視覚ゾーン：本明細書で使用するとき、眼用レンズの範囲であって、そこを通して眼用レンズの装用者がものが見える範囲を指す。
【００３１】
本明細書において使用するところの「電力」：単位時間当たりに行われる仕事又は移動するエネルギーのことを指す。
【００３２】
予備硬化：本明細書で使用するとき、混合物を部分的に硬化させるプロセスを指す。実施形態によっては、予備硬化プロセスは、期間を短縮した完全硬化プロセスを含んでよい。代替的に、予備硬化は、例えば、材料の完全硬化に用い得るものと異なる温度及び光の波長に混合物を曝露することによる、独自のプロセスを含んでもよい。
【００３３】
前投入：本明細書で使用するとき、プロセスの完了に必要になり得る全量よりも少ない量での材料の初期堆積を指す。例えば、前投入は必要な物質の４分の１を含んでよい。
【００３４】
後投入：本明細書で使用するとき、プロセスの完了に必要になり得る、前投入後の残りの量の材料の堆積を指す。例えば、前投入が必要な物質の４分の１を含む場合には、後続の後投入は物質の残りの４分の３を提供してよい。
【００３５】
再充電可能又は再付勢可能：本明細書で使用するとき、仕事を行うためのより高い能力を有する状態へと回復するための能力を指す。本発明内の多くの用途は、特定の速度で、特定の再度回復された時間の間、電流を流す能力を備える所与の状態まで回復するための能力に関連し得る。
【００３６】
再充電又は再付勢：本明細書で使用するとき、仕事をするためのより高い能力を有する状態まで回復する活動を指す。本発明の多くの用途は、再確定された時間において、一定の速度で電流を流す能力を備える所定の状態までデバイスを回復させることに関連し得る。
【００３７】
成形型から取り外れた：本明細書に使用されるとき、眼用レンズが、成形型から完全に分離される、又は穏やかな振動によって取り外す、若しくは綿棒を用いて押し外すことができるように、ほんの軽く付着しているか、のいずれかである行為を指す。
【００３８】
剛性インサート：本明細書で使用するとき、所定のトポグラフィを維持するインサートを指す。コンタクトレンズ内に含められると、剛性インサートはレンズの機能性及び／又は弾性率に寄与してよい。例えば、剛性インサートのトポグラフィ又はその内部の密度を変化させることが、乱視の使用者の視力を矯正し得るゾーンを規定してよい。剛性インサートは可撓性であってよく、例えば、剛性インサートはレンズの挿入及び／又は取り出しの間に屈曲し得る。
【００３９】
安定化機構：本明細書で使用するとき、眼用デバイスが眼上に配置されている際に、眼用デバイスを眼上において特定の方向に安定化させる物理的特性を指す。実施形態によっては、安定化機構は、眼用デバイスをバラストで安定させるのに十分な質量を付加し得る。実施形態によっては、安定化機構は前方湾曲表面を変更してよく、まぶたが安定化機構を捉えてよく、使用者はまばたきによってレンズを配置し直してよい。このような実施形態は、質量を付加し得る安定化機構を含めることによって、更に向上し得る。一部の例示的な実施形態では、安定化機構は、封入生体適合性材料とは独立した材料であってもよく、成形プロセスとは独立に形成されるインサートであってもよく、あるいは剛性インサート又は媒体インサート内に含まれてもよい。
【００４０】
スタック一体型コンポーネントデバイス（ＳＩＣ−デバイス）：本明細書で使用するとき、電気的及び電気機械的デバイスを含み得る基材の薄層を、各層の少なくとも一部分を互いの上に積み重ねる手段により、動作可能な一体型デバイスへと組み立て得るパッケージング技術製品を指す。層は、様々な型式、材料、形状及びサイズのコンポーネントデバイスを含んでもよい。更に、層は、様々な輪郭に適合しかつこの輪郭に接するために、様々なデバイス製造技術により作製され得る。
【００４１】
膨張率：本明細書で使用するとき、眼用レンズの製造の間の特定の材料の膨張性又は膨張傾向を指す。
【００４２】
眼用レンズ
図１に進むと、剛性インサート１１０を有する例示的な実施形態の眼用レンズ１００が示されている。剛性インサート１１０は、乱視患者の視力を矯正する物理的特質を含む。実施形態によっては、剛性インサート１１０は眼の乱視特性を反映してよい。例えば、剛性インサート１１０は、第１屈折力及び屈折角を有する第１ゾーン１１１、及び第２屈折力及び屈折角を有する第２ゾーン１１２を含んでよい。実施形態によっては、第１ゾーン１１１は眼のちょうど中心に位置しなくてもよく、第２ゾーン１１２は半径方向に対称でなくてもよい。
【００４３】
このような実施形態では、眼用レンズ１００を眼上において適切に方向付けるために、安定化機構１２０が必要となり得る。安定化機構１２０は、封入反応性モノマー混合物とは異なる材料を含んでよい。実施形態によっては、安定化機構１２０用の材料は、剛性インサート１１０の配置の前に前方湾曲成形型ピース上に配置されてよい。代替的に、材料は、前方湾曲成形型ピースと後方湾曲成形型ピースとの間に剛性インサート１１０が配置された後に、眼用レンズ１００内に注入されてもよい。
【００４４】
断面で示されているように、安定化機構１２０は、眼上における回転を阻止するべく眼用レンズ１００を固定するために十分な質量を付加することによって、眼用レンズ１００を眼上において方向付けてよい。一部の代替実施形態では、安定化機構１１０は、封入ＲＭＭとは異なる膨張率を有する材料を含んでよい。このような実施形態では、安定化機構１１０は、眼用レンズ１００を形成するプロセスの間に膨張してよく、膨張は、安定化機構１１０が眼用レンズ１００の前面トポグラフィを変更することを可能にする。眼上に配置されると、まぶたが安定化機構１１０を捉え、ユーザーがまばたきすることにより、レンズを方向付け直すことができる。眼上における配置を更に容易にするために、安定化機構１１０は染料を含有してよく、使用者は、眼用レンズ１００が配置前に眼上でどのように方向付けてよいかを見ることができる。
【００４５】
実施形態によっては、剛性インサートは、位置合わせされ、保持されたシートを、熱成形用成形型ピースの表面を複製できる３次元形状に熱成形することによって、形成されてよい。その結果生じるピースが薄い材料シートから切り取られてよい。前方及び後方湾曲成形型ピースによって画定される空洞の内部に剛性インサートを位置付け、反応性モノマー混合物でインサートを取り囲むことによって、眼用レンズが形成されてよい。熱成形材料からインサートピースを切り取るプロセスの間、例えば刻み目、溝、若しくは平坦部等の位置合わせ機構がインサートピース内に切削されてよい。これらの機構は、インサートピース又は形成された眼用インサートデバイスを後の処理において位置合わせするために用いられてよい。
【００４６】
図２に進むと、剛性インサート２１０を有する眼用レンズ２００の代替実施形態が示されている。剛性インサート２１０は、乱視患者の視力を矯正する物理的特質を含む。重度の乱視患者においては、剛性インサート２１０は複雑な構成のゾーン２１１〜２１３を含んでよく、それぞれのゾーン２１１〜２１３は眼の特定の部分のために視力を矯正する。剛性インサート２１０は眼用レンズ２００内に完全に封入されてよく、眼と直接接触しなくてよい。したがって、実施形態によっては、剛性インサート２１０は様々な材料を含んでよく、材料は生体適合性でなくてもよい。例えば、第１ゾーン２１１は、第２ゾーン２１２又は第３ゾーン２１３と異なる材料を含んでよい。それぞれの材料の特性はゾーン２１１〜２１３毎の視力矯正の効果を高めてもよく、又は特性だけで乱視特性を矯正するために十分であってもよい。特性は、例えば、密度又は屈折率を含んでよい。
【００４７】
実施形態によっては、剛性インサート２１０は熱成形プロセスを通じて形成されてよい。例えば、それぞれのゾーン２１１〜２１３が独自の材料を含む実施形態では、薄いシートがそれぞれの材料で局部的にコーティングされてよい。薄いシート、又は薄いシートから切り取られた剛性インサートは、３次元表面を含むべく熱成形されてよく、剛性インサートの３次元表面のトポグラフィは眼の乱視特性の矯正に寄与する。実施形態によっては、３次元表面は、必要なゾーン２１１〜２１３を作り出すのに十分であってよい。
【００４８】
複数のゾーンを有する剛性インサート２１０を含む眼用レンズ２００の一部の実施形態、及び特に、剛性インサート２１０が複雑な変化を含む実施形態では、安定化機構２２０が剛性インサート２１０と共に含まれてよい。これにより、安定化機構２２０と剛性インサート２１０との間の精密な位置合わせが可能になってよい。剛性インサート２１０が熱成形されてよい一部の特定の実施形態では、安定化機構２２０が剛性インサート２２０から延在する断面で示されるように、剛性インサートは、薄いシートから、安定化機構２２０を含むように切り取られてよい。
【００４９】
図１と同様に、安定化機構２２０は、使用者がまばたきによって眼用レンズ２００を方向付け直し得るように、前面トポグラフィを変更してよく、又は、実施形態によっては、安定化機構２２０は、眼用レンズ２００を眼上において方向付けるのに十分な質量を付加してよい。一部の他の実施形態は、質量と変更された前面トポグラフィとを組み合わせて含んでよい。安定化機構２２０は、使用者が眼用レンズ２００を適切に方向付ける助けとなり得る更なる特性を含んでよい。例えば、安定化機構２２０は、眼用レンズ２００が眼上にどのように配置されている可能性があるのかを使用者に示す刻印又は着色を含んでよい。
【００５０】
実施形態によっては、その他の受動要素が剛性インサート２１０と共に含まれてもよい。実施形態によっては、剛性インサート２１０は、グレアを低減し得る偏光要素を含んでよく、これによって視覚の鮮明さが向上し得る。実施形態によっては、剛性インサート２１０は、剛性インサート２１０上のゾーン２１１〜２１３の隠蔽部を含む、美容的機能性を付加し得る印刷パターンを含んでよい。実施形態によっては、剛性インサート２１０は、眼用レンズ２００が眼上に配置されると溶解し得る活性剤を含んでよい。乱視が眼に対する損傷によって生じている場合には、活性剤が薬剤である実施形態が特に重要となり得る。
【００５１】
図３に進むと、剛性インサート３０４を有する眼用レンズ３０９を形成する例示的な処理工程であって、剛性インサート３０４は封入され、乱視を矯正する能力を有してよい、処理工程が示されている。表１には、例示的な材料及び硬化仕様が含まれているが、その他の材料及び重合技法が明らかであってよく、上述の本発明の技術の範囲内である。３１０において、前方湾曲成形型３０１に反応性モノマー混合物３０３が前投入されてよい。実施形態によっては、前方湾曲成形型３０１上又は前投入されたＲＭＭ  ３０３上に安定化機構３０２が堆積されてよい。
【００５２】
３２０において、前方湾曲成形型３０４に近接し、かつ前投入されたＲＭＭと接触して剛性インサート３０４が配置されてよく、配置は前方湾曲アセンブリ３０１〜３０４を形成する。安定化機構３０２が剛性インサート３０４と分離した実施形態では、剛性インサート３０４は安定化機構３０２と位置合わせされ、眼用レンズ３０９が眼上に配置されると眼用レンズ３０９の適切な方向付けを可能にするように配置されてよい。
【００５３】
３３０において、前方湾曲アセンブリ３０１〜３０４に反応性モノマー混合物３０５が後投入されてよく、前投入量３０３と後投入量３０５とで剛性インサート３０４を完全に封入し、眼用レンズ３０８を適切に形成してよい。３４０において、前方湾曲成形型３０１に近接して後方湾曲成形型３０６が配置されてよく、前方湾曲成形型３０１と後方湾曲成形型３０６とでレンズ形成空洞３０８を形成してよい。レンズ形成空洞３０８は、後投入されたＲＭＭ  ３０５と前投入されたＲＭＭ  ３０３とを結合させてよく、これにより、ＲＭＭ  ３０７が剛性インサート３０４を完全に封入することが可能になってよい。
【００５４】
実施形態によっては、ＲＭＭ  ３０７は安定化機構３０３に接着するか又はそれを少なくとも部分的に封入してよい。前方湾曲及び後方湾曲アセンブリ３０１〜３０７は、眼用レンズ３０９を形成するべく、例えば硬化プロセスを通じて、重合されてよい。３５０において、眼用レンズ３０９は成形装置３０１、３０６から取り出されてよい。
【００５５】
【表１】
2014182394.tif 000003
【００５６】
要素は、眼用デバイスが占有する環境（例えば要素と接触する眼球表面の涙の流体を含む）において安定であっても、又は安定でなくてもよい材料から形成されてもよい。この使用は、例えばパリレンＣ、Ｎ及びＤ族の成分に限定されないが、これらを含むパリレン族を含むコーティングから封入層を形成することを含んでもよい。いくつかの実施形態では、封入コーティングは、他の接着剤又はシーラント層の適用前又は適用後に生じてもよい。
【００５７】
インサート系の眼用レンズのための方法及び材料
図３を再び参照すると、剛性インサート３０４を有する眼用レンズ３０９を形成する例示的な処理工程であって、剛性インサート３０４は封入され、乱視を矯正する能力を有してよい、処理工程が示されている。本明細書で使用するとき、成形型装置３０１、３０６は、レンズ形成用混合物３０７が分注されてよく、レンズ形成用混合物３０７を反応又は硬化させると、所望の形状の眼用レンズ３０９が作製されるレンズ形成空洞３０８を形作るように形成されたプラスチックを含んでよい。成形型部品３０１、３０６の結合は好ましくは一時的なものであり、眼用レンズ３０９が形成されると、成形型部品３０１、３０６は３５０における眼用レンズ３０９の取り出しのために分離されてよい。
【００５８】
少なくとも一方の成形型部品３０１、３０６は、その表面の少なくとも一部分がレンズ形成用混合物３０７と接触してよく、これによりレンズ形成用混合物３０７を反応又は硬化させると、この表面は、表面が接触している眼用レンズの部分に所望の形状及び形態をもたらす。少なくとももう一方の成形型部品３０１、３０６についても同じである。
【００５９】
したがって、例えば、例示的な実施形態においては、成形型装置３０１、３０６は、２つの部分３０１、３０６、雌型の凹型ピース（前方湾曲成形型）３０１と雄型の凸型ピース（後方湾曲成形型）３０６、から形成され、それらの間に空洞３０８が形成される。レンズ形成用混合物３０７と接触する、凹型表面の部分は、眼用レンズ３０９の前方湾曲部の曲率を有する。
【００６０】
前述の部分は十分に平滑であり、凹型表面と接触するレンズ形成用混合物３０７の重合によって形成される眼用レンズ３０９の表面が、光学的に許容できるものになるように形成される。一部の実施形態では、前方湾曲成形型３０１は、この前方湾曲成形型３０１から、軸に垂直な平面内に延在し、同様にフランジ（不図示）から延在する円形の周辺縁部と一体でこれを取り囲む環状フランジを有してもよい。
【００６１】
レンズ形成表面は、光学品質表面仕上げを備える表面を含むことができ、これは、表面が十分に滑らかで、成形型表面に接触しているレンズ形成用混合物３０８の重合によって作られた眼用レンズ表面が、光学的に許容可能であるように形成されることを示す。更に、いくつかの実施形態では、成形型ピース３０１、３０６のレンズ形成表面は、球面、非球面、及び円筒屈折力、波面収差補正、角膜トポグラフィ補正、及びこれらの任意の組み合わせが挙げられるがこれらに限定されない、所望の光学特性を眼用レンズ表面に付与するのに必要な幾何学形状を有してよい。当業者は、説明される特性以外の特性もまた、本発明の範囲内に含まれ得るということを理解するであろう。
【００６２】
一部の追加的な実施形態は、ヒドロゲルマトリックス内に完全に封入されてよい剛性レンズインサートである、剛性インサート３０４を含む。剛性インサート３０４は、例えばマイクロ射出成形技術を用いることによって製造し得る。実施形態は、例えば、直径が約６ｍｍ〜１０ｍｍ、前方表面半径が約６ｍｍ〜１０ｍｍ、後方表面半径が約６ｍｍ〜１０ｍｍ、並びに中心厚さが約０．０５０ｍｍ〜０．５ｍｍのポリ（４−メチルペンテン−１）コポリマー樹脂を含み得る。いくつかの代表的な実施形態は、約８．９ｍｍの直径、約７．９ｍｍの前側表面半径、約７．８ｍｍの後側表面半径、及び約０．１００ｍｍの中心厚さ、及び約０．０５０半径の縁部プロファイルのインサートを含む。１つの代表的なマイクロ成形装置には、Ｂａｔｔｅｎｆｉｅｌｄ  Ｉｎｃ．によって提供されるＭｉｃｒｏｓｙｓｔｅｍ  ５０の５トンシステムが挙げられる。封止構造の一部又は全ては、成形プロセス中に形成され得るか、又は成形プロセスの結果の後に続くプロセスによって、後で形成される溝、スロット、リップ、及びナイフ・エッジが含まれるがこれらに限定されない。
【００６３】
剛性インサート３０４は、眼用レンズ３０８を形成するために利用される成形型部品３０１、３０６内に配置されてよい。成形型部品３０１、３０６の材料には、例えば、ポリプロピレン、ポリスチレン、ポリエチレン、ポリメチルメタクリレート、及び変性ポリオレフィン類、のうちの１つ又は２つ以上のポリオレフィンを挙げることができる。その他の成形型には、セラミック又は金属材料を含むことも可能である。
【００６４】
眼用レンズの成形型を形成するために、１つ又は２つ以上の添加剤と組み合わせることができる他の成形材料としては、例えば、Ｚｉｅｇｌａｒ−Ｎａｔｔａポリプロピレン樹脂（ｚｎＰＰと称されることがある）、ＦＤＡ規則２１  ＣＦＲ（ｃ）３．２による清浄な成形のための精製ランダムコポリマー、エチレン基を有するランダムコポリマー（ｚｎＰＰ）が挙げられる。
【００６５】
また更には、いくつかの実施形態では、本発明の成形型には、ポリプロピレン等のポリマー、ポリエチレン、ポリスチレン、ポリメチルメタクリレート、主鎖に脂環式部分を含む変性ポリオレフィン、及び環状ポリオレフィンが含まれ得る。このブレンドを、成形型の半分の一方又は両方に対して用いることができる。このブレンドを後方湾曲部上で用いて、前方湾曲部は脂環式コポリマーからなることが好ましい。
【００６６】
いくつかの実施形態では、眼用レンズの種類は、シリコーン含有成分を含む、眼用レンズを含み得る。シリコーン含有成分は、モノマー、マクロマー又はプレポリマー中に少なくとも１個の［−Ｓｉ−Ｏ］単位を含有する成分である。好ましくは、合計シリコーン及び結合した酸素は、シリコーン含有成分中に、当該シリコーン含有成分の総分子量の約２０重量％より大きい、更に好ましくは３０重量％より大きい量で存在する。有用なシリコーン含有成分は、好ましくは、アクリレート、メタクリレート、アクリルアミド、メタクリルアミド、ビニル、Ｎ−ビニルラクタム、Ｎ−ビニルアミド及びスチリル官能基などの重合性官能基が含まれる。
【００６７】
いくつかの実施形態では、インサートを包囲するインサート封入層とも呼ばれる、眼用レンズのスカートは、標準的なヒドロゲルの眼用レンズ配合物から構成され得る。多くのインサート材料と許容可能な調和を呈する特性を備える代表的な材料には、ナラフィルコン系（ナラフィルコンＡ及びナラフィルコンＢ）、及びエタフィルコン系（エタフィルコンＡを含む）が挙げられるがこれらに限定されない。本明細書の技術と一致する材料の成形型部品に関して、より技術的に包括的な説明は以下に続く。当業者は、説明された以外の他の材料もまた、封止され、封入されたインサートの許容可能なエンクロージャ又は部分的なエンクロージャを形成することができ、本請求項と一致しており、これに含まれると見なされるべきであるということを理解するであろう。
【００６８】
好適なシリコーン含有成分は、式Ｉの化合物を含む。
【化１】
2014182394.tif 000004
式中、Ｒ１は、独立して、一価反応基、一価アルキル基、又は一価アリール基から選択され、前述のいずれかは、ヒドロキシ、アミノ、オキサ、カルボキシ、アルキルカルボキシ、アルコキシ、アミド、カルバメート、カーボネート、ハロゲン、又はこれらの組み合わせから選択される官能基を更に含み得、１〜１００のＳｉ−Ｏの繰り返し単位を含む一価シロキサン鎖は、アルキル、ヒドロキシ、アミノ、オキサ、カルボキシ、アルキルカルボキシ、アルコキシ、アミド、カルバメート、ハロゲン、又はこれらの組み合わせから選択される官能基を更に含むこともあり、
式中、ｂは０〜５００であり、ｂが０以外のときに、ｂは、表示値と同等のモードを有する分配であると理解され、
式中、少なくとも１個のＲ１が一価の反応基を含み、いくつかの実施形態では、１〜３個のＲ１が一価の反応基を含む。
【００６９】
本明細書に使用されるとき、一価反応基は、フリーラジカル及び／又はカチオン重合を受けることができる基である。フリーラジカル反応性基の非限定的な例としては、（メタ）アクリレート、スチリル、ビニル、ビニルエーテル、Ｃ１〜６アルキル（メタ）アクリレート、（メタ）アクリルアミド、Ｃ１〜６アルキル（メタ）アクリルアミド、Ｎ−ビニルラクタム、Ｎ−ビニルアミド、Ｃ２〜１２アルケニル、Ｃ２〜１２アルケニルフェニル、Ｃ２〜１２アルケニルナフチル、Ｃ２〜６アルケニルフェニルＣ１〜６アルキル、Ｏ−ビニルカルバメート及びＯ−ビニルカーボネートが挙げられる。カチオン反応性基の非限定例としては、ビニルエーテル又はエポキシド基及びこれらの混合物が挙げられる。一実施形態では、フリーラジカル反応基は、（メタ）アクリレート、アクリルオキシ、（メタ）アクリルアミド、及びこれらの混合物を含む。
【００７０】
好適な一価のアルキル基及びアリール基には、置換及び非置換のメチル、エチル、プロピル、ブチル、２−ヒドロキシプロピル、プロポキシプロピル、ポリエチレンオキシプロピル、これらの組み合わせなどの、非置換の一価のＣ１〜１６アルキル基、Ｃ６〜１４アリール基が挙げられる。
【００７１】
一実施形態では、ｂは、ゼロであり、１個のＲ１は、一価反応基であり、少なくとも３個のＲ１は、１〜１６個の炭素原子を有する一価アルキル基から選択され、別の実施形態では、１〜６個の炭素原子を有する一価アルキル基から選択される。本発明のシリコーン成分の制限されない例には、２−メチル−、２−ヒドロキシ−３−［３−［１，３，３，３−テトラメチル−１−［（トリメチルシリル）オキシ］ジシロキザニル］プロポキシ］プロピルエステル（「ＳｉＧＭＡ」）、
２−ヒドロキシ−３−メタクリルオキシプロピルオキシプロピル−トリ（トリメチルシロキシ）シラン、
３−メタクリルオキシプロピルトリス（トリメチルシロキシ）シラン（「ＴＲＩＳ」）、
３−メタクリルオキシプロピルビス（トリメチルシロキシ）メチルシラン、及び
３−メタクリルオキシプロピルペンタメチルジシロキサンが含まれる。
【００７２】
別の実施形態では、ｂは、２〜２０、３〜１５、又はいくつかの実施形態では、３〜１０であり、少なくとも１つの末端Ｒ１は、一価反応基を含み、残りのＲ１は、１〜１６個の炭素原子を有する一価アルキル基から選択され、別の実施形態では、１〜６個の炭素原子を有する一価アルキル基から選択される。更に他の一実施形態では、ｂが３〜１５であり、１つの末端Ｒ１が一価の反応性基を含み、その他の末端Ｒ１が１〜６の炭素原子を有する一価のアルキル基を含み、残余のＲ１が１〜３の炭素原子を有する一価のアルキル基を含む。本発明のシリコーン成分の非限定例としては、（モノ−（２−ヒドロキシ−３−メタクリルオキシプロピル）−プロピルエーテル末端ポリジメチルシロキサン（４００〜１０００ＭＷ））（「ＯＨ−ｍＰＤＭＳ」）、モノメタクリルオキシプロピル末端モノ−ｎ−ブチル末端ポリジメチルシロキサン（８００〜１０００ＭＷ）、（ｍＰＤＭＳ）が挙げられる。
【００７３】
別の実施形態では、ｂは、５〜４００、又は１０〜３００であり、両方の末端Ｒ１は、一価反応基を含み、残りのＲ１は、独立して、炭素原子間のエーテル結合を有することもあり、ハロゲンを更に含むこともある、１〜１８個の炭素原子を有する一価アルキル基から選択される。
【００７４】
シリコーンヒドロゲルの眼用レンズが望ましい一実施形態では、本発明の眼用レンズは、ポリマーを作製する反応性モノマー成分の総重量に基づき、少なくとも約２０、好ましくは、約２０重量％〜７０重量％のシリコーン含有成分を含む反応性混合物から作製される。
【００７５】
別の実施形態では、１〜４のＲ１は以下の式ＩＩのビニルカーボネート又はカルバメートを含み、
【化２】
2014182394.tif 000005
式中、Ｙは、Ｏ−、Ｓ−、又はＮＨ−を示し、Ｒは、ヒドロゲン又はメチルを示し、ｄは、１、２、３、又は４であり、ｑは、０又は１である。
【００７６】
シリコーン含有ビニルカーボネート又はビニルカルバメートモノマーは、具体的には、１，３−ビス［４−（ビニルオキシカルボニルオキシ）ブト−１−イル］テトラメチル−ジシロキサン、３−（ビニルオキシカルボニルチオ）プロピル−［トリス（トリメチルシロキシ）シラン］、３−［トリス（トリメチルシロキシ）シリル］プロピルアリルカルバメート、３−［トリス（トリメチルシロキシ）シリル］プロピルビニルカルバメート、トリメチルシリルエチルビニルカーボネート、トリメチルシリルメチルビニルカーボネートを含み、
【化３】
2014182394.tif 000006
約２００以下の弾性率を有する生物医学的装置が所望される場合、１個のＲ１のみが一価反応基を含むものとし、残りのＲ１基のうちの２個以下は、一価シロキサン基を含む。
【００７７】
別のクラスのシリコーン含有成分としては、次の式のポリウレタンマクロマーが挙げられる。
式ＩＶ〜ＶＩ
（＊Ｄ＊Ａ＊Ｄ＊Ｇ）ａ ＊Ｄ＊Ｄ＊Ｅ１；
Ｅ（＊Ｄ＊Ｇ＊Ｄ＊Ａ）ａ ＊Ｄ＊Ｇ＊Ｄ＊Ｅ１又は
Ｅ（＊Ｄ＊Ａ＊Ｄ＊Ｇ）ａ ＊Ｄ＊Ａ＊Ｄ＊Ｅ１
式中、Ｄは、炭素原子６〜３０個を有するアルキルジラジカル、アルキルシクロアルキルジラジカル、シクロアルキルジラジカル、アリールジラジカル又はアルキルアリールジラジカルを示し、
式中、Ｇは、炭素原子１〜４０個を有するアルキルジラジカル、シクロアルキルジラジカル、アルキルシクロアルキルジラジカル、アリールジラジカル又はアルキルアリールジラジカルを示し、これは、主鎖中にエーテル、チオ又はアミン結合を含有でき、
＊はウレタン又はウレイド結合を意味し、
ａは、少なくとも１であり、
Ａは次の式の二価重合ラジカルを意味する。
【化４】
2014182394.tif 000007
式中、Ｒ１１は独立してアルキル又は１〜１０個の炭素原子を有するフルオロ置換アルキル基を意味し、これには炭素原子間にエーテル結合を含んでよく、ｙは少なくとも１であり、ｐは４００〜１０，０００の部分重量を提供し、Ｅ及びＥ１はそれぞれ独立して式ＶＩＩＩに示される重合性不飽和有機ラジカルを意味し、
【化５】
2014182394.tif 000008
式中、Ｒ１２は水素又はメチルであり、Ｒ１３は水素、１〜６個の炭素原子を有するアルキルラジカル又は−ＣＯ−Ｙ−Ｒ１５ラジカルで、Ｙは−Ｏ−、Ｙ−Ｓ−又は−ＮＨ−であり、Ｒ１４は１〜１２個の炭素原子を有する二価ラジカルであり、Ｘは−ＣＯ−又は−ＯＣＯ−を意味し、Ｚは−Ｏ−又は−ＮＨ−を意味し、Ａｒは６〜３０個の炭素原子を有する芳香族ラジカルを意味し、ｗは０〜６であり、ｘは０又は１であり、ｙは０又は１であり、ｚは０又は１である。
【００７８】
好ましいシリコーン含有構成要素は、式ＩＸによって表されるポリウレタンマクロマである（完全な構造は、対応する星印領域同士、＊〜＊、＊＊〜＊＊、を連結することによって理解されてよい）。
【化６】
2014182394.tif 000009
Ｒ１６は、イソフォロンジイソシアネートのジラジカルなどのイソシアネート基除去後のジイソシアネートのジラジカルである。別の好適なシリコーン含有マクロマーは、フルオロエーテル、ヒドロキシ末端ポリジメチルシロキサン、イソホロンジイソシアネート及びイソシアネートエチルメタクリレートの反応によって形成される式Ｘ（式中、ｘ＋ｙは１０〜３０の範囲の数である）の化合物である。
【００７９】
式Ｘ（完全な構造は、対応する星印領域同士、＊〜＊、を連結することによって理解されてよい）。
【化７】
2014182394.tif 000010
【００８０】
本発明の使用に好適な他のシリコーン含有成分には、ポリシロキサン、ポリアルキレンエーテル、ジイソシアネート、ポリフッ素化炭化水素、ポリフッ素化エーテル、及び多糖類基を含有するマクロマー；末端のジフルオロで置換された炭素原子に結合する水素原子を有する、極性のフッ素化グラフト又は側基を有するポリシロキサン；エーテルを含有する親水性シロキサニルメタクリレート、並びにポリエーテル及びポリシロキサニル基を含有するシロキサニル結合及び架橋性モノマーが含まれる。前述のポリシロキサンのいずれもまた、本発明のシリコーン含有成分として使用することができる。
【００８１】
結論
本発明は、上述したように、及び添付の請求項によって更に定義されるように、眼の特定の乱視特性を矯正するように調整されてよい剛性インサートを封入する眼用レンズの形成方法、及びこのような方法を実装する装置、並びに剛性インサートを有して形成される眼用レンズを提供する。
【００８２】
〔実施の態様〕
（１）  乱視を不顕在化させる能力を有する剛性インサートを有する眼用レンズデバイスであって、前記眼用レンズデバイスは、
生体適合性材料を含むレンズであって、前記生体適合性材料は眼上における前記眼用レンズの配置を可能にする、レンズと、
剛性インサートであって、前記レンズは前記剛性インサートを封入する、剛性インサートと、
乱視を矯正する能力を有する機構であって、前記機構は前記レンズ及び前記剛性インサートの一方又は双方の上に位置する、機構と、
を含む、眼用レンズデバイス。
（２）  前記剛性インサートが複数のゾーンを含み、それぞれのゾーンは、前記眼の乱視特性を反映する能力を有する、実施態様１に記載の眼用レンズデバイス。
（３）  第１ゾーンが第１の材料を含み、第２ゾーンが第２の材料を含む、実施態様２に記載の眼用レンズデバイス。
（４）  前記剛性インサートが第１の３次元トポグラフィを含む、実施態様２に記載の眼用レンズデバイス。
（５）  前記第１の３次元トポグラフィが前記眼の前記乱視特性を反映する、実施態様４に記載の眼用レンズデバイス。
【００８３】
（６）  前記剛性インサートが熱成形を通じて前記第１の３次元トポグラフィを含む、実施態様５に記載の眼用レンズデバイス。
（７）  前記レンズが第２の３次元トポグラフィを含む、実施態様５に記載の眼用レンズデバイス。
（８）  前記第２の３次元トポグラフィが、前記剛性インサートの矯正特性を向上させる能力を有する、実施態様７に記載の眼用レンズデバイス。
（９）  前記眼用レンズを前記眼上において方向付ける能力を有する安定化機構を更に含み、前記方向付けにより、前記複数のゾーンを前記眼の前記乱視特性に合わせて位置合わせすることができる、実施態様２に記載の眼用レンズデバイス。
（１０）  前記安定化機構が視覚的な方向付けの手がかりを含み、前記視覚的な方向付けの手がかりは使用者の目に見える、実施態様９に記載の眼用レンズ。
【００８４】
（１１）  前記レンズが偏光機能性を更に含む、実施態様１に記載の眼用レンズ。
（１２）  前記レンズが、パターンのある着色を更に含む、実施態様１に記載の眼用レンズ。
（１３）  前記剛性インサートが活性剤を更に含み、前記活性剤は、前記眼上の眼環境中に溶解する能力を有する、実施態様１に記載の眼用レンズ。
（１４）  前記安定化機構が、前記眼用レンズの前方湾曲表面を変化させる能力を有する、実施態様９に記載の眼用レンズ。
（１５）  前記安定化機構が、前記眼用レンズに質量を付加する能力を有し、前記質量は、前記眼用レンズをバラストで安定させる（ballast）のに十分である、実施態様９に記載の眼用レンズ。
【００８５】
（１６）  前記剛性インサートが前記安定化機構を含む、実施態様９に記載の眼用レンズ。
（１７）  前記生体適合性材料が重合反応性モノマー混合物を含む、実施態様１に記載の眼用レンズ。
（１８）  前記重合反応性モノマー混合物がヒドロゲルを含む、実施態様１７に記載の眼用レンズ。
【図１】
2014182394.tif 000011
【図２】
2014182394.tif 000012
【図３】
2014182394.tif 000013
【外国語明細書】
2014182394000001.pdf